(57)【要約】    【課題】建設機械が盗難されるなどして車体の所在が分からない場合に盗難防止装置の盗難防止機能がオフ状態にされていても、その盗難防止機能をオン状態に切り替えることができる建設機械の盗難防止システムを提供する。    【解決手段】携帯電話７からのメールによって送信される盗難防止機能の切替指示を管理サーバ５により受信し、管理サーバ５より無線通信局８を介して建設機械１００ａ、１００ｂ、１００ｃに備えられた盗難防止装置へ切替指令信号を送信する。盗難防止装置は、切替指令信号を受信すると、盗難防止機能の設定状態をオンからオフへ、またはオフからオンへと切り替える。【選択図】図１
2005255093.tif 000002
【特許請求の範囲】
【請求項１】
産業機械に搭載され、その産業機械の盗難を防止するための盗難防止機能を有し、その盗難防止機能を作動または非作動のいずれかの状態に切り替え可能な盗難防止装置と、
前記産業機械から離れた位置に設置され、前記盗難防止装置との無線通信を行う管理サーバとを備え、
前記盗難防止装置は、
前記管理サーバからの無線通信により送信される切替指令信号を受信する通信手段と、
前記通信手段により受信された切替指令信号に基づいて、前記盗難防止機能をオンまたはオフのいずれか一方の状態から、もう一方の状態に切り替える切替手段とを有することを特徴とする産業機械の盗難防止システム。
【請求項２】
請求項１の産業機械の盗難防止システムにおいて、
前記管理サーバは、外部から送信される盗難防止機能の切替指示に基づいて、前記切替指令信号を送信することを特徴とする産業機械の盗難防止システム。
【請求項３】
請求項２の産業機械の盗難防止システムにおいて、
前記切替指示は携帯電話からの電子メールによって送信され、
前記管理サーバは、その切替指示を受信し、
その携帯電話のメールアドレスに基づいて、前記切替指示の送信者が正当な権利者であるか否かを判断し、
正当な権利者であると判断した場合は前記切替指令信号を送信し、正当な権利者ではないと判定した場合は前記切替指令信号を送信しないことを特徴とする産業機械の盗難防止システム。
【請求項４】
請求項３の産業機械の盗難防止システムにおいて、
前記通信手段は、前記携帯電話からの電子メールによって送信された切替指令信号を受信したとき、その切替指令信号に基づいて前記切替手段により前記盗難防止機能をオンまたはオフのいずれか一方の状態からもう一方の状態に切り替えたことを示す切替情報を前記管理サーバに送信し、
前記管理サーバは、前記切替情報を受信したら、前記盗難防止機能の状態が切り替えられたことを前記携帯電話へ通知することを特徴とする産業機械の盗難防止システム。
【請求項５】
請求項２の産業機械の盗難防止システムにおいて、
前記切替指示は電話からの発信によって送信され、
前記管理サーバは、その切替指示を受信し、
その電話番号に基づいて、前記切替指示の送信者が正当な権利者であるか否かを判断し、
正当な権利者であると判断した場合は前記切替指令信号を送信し、正当な権利者ではないと判定した場合は前記切替指令信号を送信しないことを特徴とする産業機械の盗難防止システム。
【請求項６】
請求項１〜５のいずれかの産業機械の盗難防止システムにおいて、
前記盗難防止装置は、位置情報を算出する位置算出手段をさらに有し、
前記切替手段により前記盗難防止機能がオフ状態に切り替えられているとき、前記通信手段はさらに、所定時間ごとに前記位置情報を前記管理サーバに送信することを特徴とする産業機械の盗難防止システム。
【請求項７】
請求項１〜６のいずれかの産業機械の盗難防止システムにおいて用いられ、前記切替指令信号を前記盗難防止装置へ送信する管理サーバ。
【請求項８】
請求項１〜６のいずれかの産業機械の盗難防止システムにおいて用いられ、前記通信手段と前記切替手段とを備えることを特徴とする盗難防止装置。
【請求項９】
予め定めた識別情報に基づいて産業機械の動作禁止、動作許可を制御する盗難防止機能のオンオフ切替方法であって、
前記盗難防止機能のオンオフを切り替える信号を、前記産業機械を管理する管理センターから無線により送信し、
この切替信号により前記盗難防止機能のオンオフを切り替えることを特徴とする盗難防止機能のオンオフ切替方法。
【請求項１０】
予め定めた識別情報に基づいて産業機械の動作禁止、動作許可を制御する盗難防止機能を用いた盗難防止方法であって、
前記盗難防止機能のオンオフを切り替える信号を、前記産業機械を管理する管理センターから無線により送信し、
この切替信号により前記盗難防止機能がオンに切り替えられている場合、入力された情報が前記産業機械に記憶している前記識別情報と一致しているときに前記産業機械に動作許可を与えることを特徴とする盗難防止方法。
【発明の詳細な説明】
【技術分野】
【０００１】
本発明は、油圧ショベル、リフトトラック等の産業機械における盗難防止技術に関する。
【背景技術】
【０００２】
建設機械のエンジン始動時にコード入力を要求し、入力コードが予め設定された暗証コードと一致した場合に建設機械のエンジンの始動を許可することにより、建設機械の盗難を防止する盗難防止装置が従来から知られている。このような盗難防止装置において、盗難防止機能をオンまたはオフ状態のいずれかに切り替えられるようにして、盗難防止機能をオフしているときにはコード入力しなくても建設機械のエンジン始動を許可するものが知られている（特許文献１）。
【０００３】
【特許文献１】特開平９−４８３２４号公報
【発明の開示】
【発明が解決しようとする課題】
【０００４】
特許文献１に開示される盗難防止装置は、建設機械の車体に盗難防止機能の設定状態を切り替えるためのスイッチが取り付けられており、このスイッチの切替状態によって、盗難防止機能をオンまたはオフのいずれかに切り替える。したがって、建設機械が盗難されるなどして車体の所在が分からない場合に盗難防止機能がオフ状態にされていると、その盗難防止機能をオン状態に切り替えることができないため、窃盗犯がその建設機械を不正に使用することを防止できないという問題がある。
【課題を解決するための手段】
【０００５】
請求項１の発明による産業機械の盗難防止システムは、産業機械に搭載されてその産業機械の盗難を防止するための盗難防止機能を有し、その盗難防止機能を作動または非作動のいずれかの状態に切り替え可能な盗難防止装置と、産業機械から離れた位置に設置され、盗難防止装置との無線通信を行う管理サーバとを備え、盗難防止装置は、管理サーバからの無線通信により送信される切替指令信号を受信する通信手段と、通信手段により受信された切替指令信号に基づいて、盗難防止機能をオンまたはオフのいずれか一方の状態から、もう一方の状態に切り替える切替手段とを有するものである。
請求項２の発明は、請求項１の産業機械の盗難防止システムにおいて、管理サーバは、外部から送信される盗難防止機能の切替指示に基づいて、切替指令信号を送信するものである。
請求項３の発明は、請求項２の産業機械の盗難防止システムにおいて、切替指示は携帯電話からの電子メールによって送信され、管理サーバは、その切替指示を受信し、その携帯電話のメールアドレスに基づいて、切替指示の送信者が正当な権利者であるか否かを判断し、正当な権利者であると判断した場合は切替指令信号を送信し、正当な権利者ではないと判定した場合は切替指令信号を送信しないものである。
請求項４の発明は、請求項３の産業機械の盗難防止システムにおいて、通信手段は、携帯電話からの電子メールによって送信された切替指令信号を受信したとき、その切替指令信号に基づいて切替手段により盗難防止機能をオンまたはオフのいずれか一方の状態からもう一方の状態に切り替えたことを示す切替情報を管理サーバに送信し、管理サーバは、切替情報を受信したら、盗難防止機能の状態が切り替えられたことを携帯電話へ通知するものである。
請求項５の発明は、請求項２の産業機械の盗難防止システムにおいて、切替指示は電話からの発信によって送信され、管理サーバは、その切替指示を受信し、その電話番号に基づいて、切替指示の送信者が正当な権利者であるか否かを判断し、正当な権利者であると判断した場合は切替指令信号を送信し、正当な権利者ではないと判定した場合は切替指令信号を送信しないものである。
請求項６の発明は、請求項１〜５のいずれかの産業機械の盗難防止システムにおいて、盗難防止装置は、位置情報を算出する位置算出手段をさらに有し、切替手段により盗難防止機能がオフ状態に切り替えられているとき、通信手段はさらに、所定時間ごとに位置情報を管理サーバに送信するものである。
請求項７の発明による管理サーバは、請求項１〜６のいずれかの産業機械の盗難防止システムにおいて用いられ、切替指令信号を盗難防止装置へ送信するものである。
請求項８の発明による盗難防止装置は、請求項１〜６のいずれかの産業機械の盗難防止システムにおいて用いられ、通信手段と切替手段とを備えるものである。
請求項９の発明は、予め定めた識別情報に基づいて産業機械の動作禁止、動作許可を制御する盗難防止機能のオンオフ切替方法であって、盗難防止機能のオンオフを切り替える信号を、産業機械を管理する管理センターから無線により送信し、この切替信号により盗難防止機能のオンオフを切り替えるものである。
請求項１０の発明は、予め定めた識別情報に基づいて産業機械の動作禁止、動作許可を制御する盗難防止機能を用いた盗難防止方法であって、盗難防止機能のオンオフを切り替える信号を、産業機械を管理する管理センターから無線により送信し、この切替信号により盗難防止機能がオンに切り替えられている場合、入力された情報が産業機械に記憶している識別情報と一致しているときに産業機械に動作許可を与えるものである。
【発明の効果】
【０００６】
本発明によれば、管理サーバより盗難防止装置へ切替指令信号を送信し、盗難防止装置においてその切替指令信号を受信し、盗難防止機能を作動状態から非作動状態へ、または非作動状態から作動状態へと切り替えることとした。このようにしたので、建設機械が盗難されるなどして車体の所在が分からない場合に盗難防止装置の盗難防止機能がオフ状態にされていても、その盗難防止機能をオン状態に切り替えることができ、窃盗犯がその建設機械を不正に使用することを防止できる。
【発明を実施するための最良の形態】
【０００７】
本発明の一実施形態による建設機械の盗難防止システムを図１に示す。この盗難防止システムは、建設機械１００ａ、１００ｂおよび１００ｃにそれぞれ備えられた図中の網掛け部分に示す盗難防止装置と、その各建設機械から離れた位置にある管理センターに設置された管理サーバ５とを備えている。盗難防止装置のそれぞれは、建設機械の盗難を防止するための盗難防止機能を有しており、さらに管理サーバ５からの制御によって、その盗難防止機能をオン状態またはオフ状態のいずれかに切り替えることができる。
【０００８】
建設機械１００ａに備えられた盗難防止装置は、制御装置１、通信アンテナ２、ＧＰＳアンテナ３およびコード入力装置４を有している。建設機械１００ｂと１００ｃに備えられている盗難防止装置もこれと同様の構成を有している。制御装置１には、通信アンテナ２、ＧＰＳアンテナ３およびコード入力装置４が接続されている。通信アンテナ２は、無線通信局８との無線通信用の送受信アンテナである。ＧＰＳアンテナ３は、上空に存在するＧＰＳ衛星３００ａ、３００ｂおよび３００ｃからのＧＰＳ信号を受信するために用いられる。コード入力装置４は、建設機械のオペレータからのコード入力を受け付けるための装置であり、たとえばテンキーなどが用いられる。なお、制御装置１を含めた盗難防止装置の全体的な動作内容については後で説明する。
【０００９】
管理サーバ５は、たとえばインターネットなどによって構築される公衆通信回線網２００と繋がっており、公衆通信回線網２００を介して、パソコン６や携帯電話７と接続される。パソコン６は、建設機械１００ａ〜１００ｃを所有しているユーザ（たとえば、レンタル事業者など）の事務所等に備えられており、ユーザの操作によって管理サーバ５と接続することができる。携帯電話７は、建設機械のオペレータが所有している携帯電話であり、不図示の携帯電話通信網を介して公衆通信回線網２００と接続することにより、管理サーバ５と接続することができる。
【００１０】
管理サーバ５はまた、無線通信局８と接続されている。無線通信局８は、管理サーバ５と各盗難防止装置との間で通信を行うための中継用の無線設備であり、その通信エリアが全国のほぼ全域をカバーするように設置されている。この無線通信局８には、たとえば携帯電話基地局や通信衛星などを用いることができる。なお、管理サーバ５と無線通信局８とは、図のように直接接続してもよく、あるいは公衆通信回線網２００を経由して接続してもよい。
【００１１】
管理サーバ５には、各盗難防止装置について、盗難防止機能のオンオフ状態と最新の位置情報、およびその位置情報の算出時刻が記録されている。これらの盗難防止装置に関する情報は、各盗難防止装置から無線通信局８を介して送信される。ユーザはパソコン６を用いて管理サーバ５にアクセスすることにより、管理サーバ５に記録された上記の盗難防止装置の情報を管理サーバ５から受信して、パソコン６に表示することができる。ユーザからのアクセスがあると、管理サーバ５はユーザＩＤやパスワードなどを用いたユーザ認識を行うことにより、そのユーザが所有している建設機械を特定して、特定された建設機械に搭載されている盗難防止装置の情報をパソコン６に送信する。
【００１２】
パソコン６の表示画面例を図２に示す。この例では上記の盗難防止装置の情報を表形式により表しており、行６１と６２には、各盗難防止装置のそれぞれを識別するため、その盗難防止装置が備え付けられている建設機械の型式と号機（製造番号）を示している。また、行６３には盗難防止機能がオンとオフのいずれの状態であるかを示しており、行６５と６６には最新の位置情報における緯度と経度を、行６４にはその最新の位置情報が算出された時刻を示している。
【００１３】
以上説明した図２の画面において、ユーザはパソコン６の操作により、盗難防止装置毎にその盗難防止機能をオンからオフ、あるいはオフからオンに切り替えるよう指示することができる。また、オペレータが携帯電話７の電子メール機能を用いて管理サーバ５に電子メール（以下、単にメールという）を送信することにより、盗難防止機能の設定状態の切替を指示することもできる。このときオペレータは、盗難防止機能の設定状態をオンとオフのどちらに切り替えるかの指定と、盗難防止装置の個体を特定するための建設機械の型式と号機の指定を、送信するメールにおいて行う。なお、この指定はメールのタイトルまたは本文に記載してもよいし、メールの添付ファイルとして送信してもよい。
【００１４】
管理サーバ５は、パソコン６または携帯電話７から盗難防止機能の設定状態を切り替えるように指示されると、該当する盗難防止装置に対して、無線通信局８を介して切替指令信号を送信する。この切替信号を受信した盗難防止装置では、盗難防止機能をオン状態からオフ状態、あるいはオフ状態からオン状態へと切り替える。このとき管理サーバ５と盗難防止装置が実行する処理の内容については後で説明する。なお、管理サーバ５を設置する管理センターは、どのようなものであってもよい。たとえば、建設機械メーカ内に盗難防止管理サービスを行う部門を設けて管理サーバ５を設置すれば、そこが管理センターに相当する。
【００１５】
ここで、盗難防止装置の動作内容を図３に示すブロック図を用いて説明する。前述したように、盗難防止装置は制御装置１、通信アンテナ２、ＧＰＳアンテナ３およびコード入力装置４を有しており、制御装置１は、図示するように通信制御部１１、盗難防止機能切替部１２、位置算出部１３、判定処理部１４および暗証コード記憶部１５を有している。通信アンテナ２は通信制御部１１と接続されており、ＧＰＳアンテナ３は位置算出部１３と接続されている。また、コード入力装置４は判定処理部１４に接続されている。
【００１６】
図１の管理サーバ５から無線通信局８を介して送信され、通信アンテナ２によって受信された切替指令信号は、通信制御部１１に入力された後に盗難防止機能切替部１２へ出力される。盗難防止機能切替部１２は、それまでの盗難防止機能の設定状態をフラグ情報として記憶しており、切替指令信号が入力されると、そのフラグ情報に基づいて盗難防止機能の設定状態をオンからオフへ、あるいはオフからオンへと切り替える。すなわち、それまでの設定状態がオンであった場合はオンからオフに切り替え、逆にオフに設定されていた場合は設定状態をオフからオンに切り替える。盗難防止機能の設定状態は、盗難防止機能切替部１２から、通信制御部１１および判定処理部１４に出力される。
【００１７】
なお、本実施形態では、盗難防止機能の設定状態をオンからオフへ切り替える場合と、オフからオンに切り替える場合とで、管理サーバ５から同じ内容の切替指令信号が出力されるものとしている。しかし、オンからオフへ切り替える場合と、オフからオンに切り替える場合とで、切替指令信号を異なる内容で出力してもよい。このようにした場合は、入力された切替指令信号における切替後の設定状態がそれまでと異なるときにのみ、盗難防止機能切替部１２において盗難防止機能の設定状態を切り替える。すなわち、それまでオンであった場合は、オンからオフへの切替指令信号が入力されたときには盗難防止機能の設定状態を切り替え、オフからオンへの切替指令信号が入力されても切り替えない。逆にそれまでオフであった場合は、オフからオンへの切替指令信号が入力されたときに切り替え、オンからオフへの切替指令信号では切り替えない。
【００１８】
位置算出部１３は、ＧＰＳアンテナ３により受信されたＧＰＳ衛星３００ａ、３００ｂおよび３００ｃからのＧＰＳ信号に基づいて、位置情報として盗難防止装置の緯度および経度を算出する。算出された緯度と経度は、ＧＰＳ信号の受信時刻とともに、位置算出部１３から通信制御部１１に出力される。このときのＧＰＳ信号の受信時刻は、すなわち位置情報を算出した時刻であって、図２の行６４に表示される時刻を表している。なお、ここでは３つのＧＰＳ衛星からのＧＰＳ信号によって位置を求めているが、少なくとも３つ以上のＧＰＳ衛星からＧＰＳ信号を受信できれば、正確な位置を求めることができる。
【００１９】
通信制御部１１は、盗難防止機能切替部１２から出力される盗難防止機能の設定状態がオフである場合には、位置算出部１３からの位置情報とＧＰＳ信号の受信時刻を、所定時間ごとに管理サーバ５に対して送信する。このとき、盗難防止機能の設定状態がオンとオフのどちらであるかを示す情報も合わせて送信する。一方、盗難防止機能の設定状態がオンである場合には、これらの情報の送信は行わない。このようにすることで、盗難防止機能がオフであるときにはその建設機械の位置をユーザがモニタできるようにし、盗難されたと判断した場合には、前述のようにして盗難防止機能をオフからオンに切り替える。なお、管理サーバ５からの切替指令信号により盗難防止機能がオンからオフ、あるいはオフからオンに切り替えられた場合には、その切替指令信号を受信した後、直ちに上記の位置情報および受信時刻と、盗難防止機能の設定状態を送信する。
【００２０】
さらに、上記の通信制御部１１から管理サーバ５へ位置情報、受信時刻、盗難防止機能の設定状態を送信する際には、その盗難防止装置が搭載されている建設機械の型式と号機の情報も合わせて送信する。このとき送信する型式と号機の情報は、盗難防止装置ごとに予め記憶させておけばよい。以上のような情報を管理サーバ５において受信して記録することにより、図２に示すような表示画面をパソコン６に表示することができる。
【００２１】
判定処理部１４と暗証コード記憶部１５は、コード入力装置４と共に盗難防止機能を実現する際に用いられる。建設機械の車体に備えられた不図示のキースイッチをオペレータが操作すると、判定処理部１４にキースイッチからエンジン始動要求信号が入力される。判定処理部１４は、このエンジン始動要求信号が入力されると、盗難防止機能の設定状態がオンである場合には、コード入力装置４によるオペレータからのコード入力を受け付ける。そして、入力コードが暗証コード記憶部１５に記憶された暗証コードと一致したときのみ、その盗難防止装置が備えられている建設機械のエンジンの始動を許可する。一方、盗難防止機能がオフに設定されている場合は、エンジン始動要求信号が入力されると、入力コードの入力、非入力に関係なくエンジンの始動を許可する。上記のいずれかによってエンジンの始動が許可されると、判定処理部１４から不図示の建設機械のエンジンに対してエンジン始動信号が出力される。このようにして建設機械のエンジンが始動され、操作レバーによる各種動作が許可される。
【００２２】
上記の建設機械の動作には、たとえば、図７に示す油圧ショベル１００では、走行部１０１において行われる走行動作、たとえばブーム１０２、アーム１０３、バケット１０４などによって構成されるフロント機構１０５において行われる掘削動作、旋回体１０６において行われる旋回動作などが該当する。
【００２３】
次に、パソコン６または携帯電話７から盗難防止機能の切替を指示されたときに、管理サーバ５において実行されるフローチャートを図４に示す。ステップＳ１では、パソコン６と携帯電話７のどちらから盗難防止機能の切替を指示されたかを判定する。携帯電話７からのメールによって指示された場合はステップＳ２へ進み、パソコン６からの指示であった場合はステップＳ８へ進む。
【００２４】
ステップＳ２では、盗難防止機能の切替を指示するメールを送信してきた携帯電話７のメールアドレスが、予め管理サーバ５に登録されているものであるか否かを判定する。メールアドレスが登録されている場合は、そのメールを送信したオペレータは正当な権利者であると判断して、次のステップＳ３へ進む。登録されていない場合は、そのメールを送信したオペレータは正当な権利者ではないと判断して、図４の処理フローを終了する。このときには盗難防止機能の切替は行われない。
【００２５】
上記のメールアドレスの登録は、ユーザが事前にパソコン６を用いて行う。このとき、登録されたメールアドレスはユーザが所有するどの建設機械に対応するのかについても、合わせて登録しておく。なお、オペレータが携帯電話７を用いてそのメールアドレスを登録するようにしてもよいが、その場合には、そのオペレータが建設機械を動作することについてユーザから許可を受けている者であるかどうかを判断した後で、メールアドレスの登録を許可する必要があることは言うまでもない。
【００２６】
ステップＳ３では、受信したメールの内容を確認する。このメールでは、前述したように、盗難防止機能の設定状態をオンとオフのどちらに切り替えるかと、建設機械の型式および号機とが指定されている。ステップＳ４では、ステップＳ３において確認したメール内容に基づいて、いずれかの盗難防止装置について盗難防止機能の設定状態を切り替えるか否かを判定する。
【００２７】
受信メールにおいて盗難防止機能をそれまでのオン状態からオフ状態へ、あるいはそれまでのオフ状態からオン状態へと切り替えるように指定されており、さらに指定された建設機械の型式と号機が登録内容と一致している場合には、該当する盗難防止装置について盗難防止機能の設定状態を切り替えるものと判断して、ステップＳ４からＳ５へ進む。しかし、いずれかの内容が適当でない場合は、盗難防止機能の設定状態を切り替えないものと判断して、図４の処理フローを終了する。このときには盗難防止機能の切替は行われない。
【００２８】
ステップＳ５では、受信メールにおいて指定された建設機械に搭載されている盗難防止装置に対して切替指令信号を送信する。ステップＳ６では、ステップＳ５において切替指令信号を送信した盗難防止装置から、その盗難防止装置に関する前述したような情報を受信したか否かを判定する。受信したらステップＳ７へ進み、受信していない間はステップＳ６を繰り返す。
【００２９】
ステップＳ７では、携帯電話７に対して、盗難防止機能が切り替えられたことを通知するメールを送信する。このメールを携帯電話７で受信することにより、その携帯電話７を用いて盗難防止機能の切替を指示したオペレータは、盗難防止装置において盗難防止機能の切替が実行されたことを確認できる。ステップＳ７を実行した後は、図４の処理フローを終了する。こうして、盗難防止機能の切替が行われる。
【００３０】
一方、ステップＳ１からＳ８へ進んだ場合は、ステップＳ８において、前述したようにユーザＩＤやパスワードを入力させるなどしてユーザ認識を行う。ステップＳ９では、ステップＳ８において行ったユーザ認識の結果がＯＫであったか否かを判定する。ユーザ認識の結果がＯＫであった場合はステップＳ１０へ進む。しかし、ＯＫでなかった場合は図４の処理フローを終了し、このときにも盗難防止機能の切替は行われない。
【００３１】
ステップＳ１０では、そのユーザが所有している盗難防止装置の情報をパソコン６へ送信する。これにより、図２のような画面がパソコン６に表示される。ステップＳ１１では、記録されている盗難防止装置の情報が、それまでにパソコン６に対して送信済みの盗難防止装置の情報から更新されているか否かを判定する。この更新は、盗難防止装置の通信制御部１１から、前述した内容の情報が送信されることにより行われる。更新されている場合はステップＳ１０へ戻り、その更新された情報をパソコン６へ送信する。更新されていない場合はステップＳ１２へ進む。
【００３２】
ステップＳ１２では、パソコン６から盗難防止機能の切替指示があったか否かを判定する。いずれかの盗難防止装置について盗難防止機能を切り替えるよう指示された場合は、ステップＳ１２からＳ１３へ進む。ステップＳ１３では、ステップＳ５と同様に、指定された盗難防止装置に対して切替指令信号を送信する。これにより、盗難防止機能の切替が実現される。ステップＳ１３を実行した後はステップＳ１１へ戻り、パソコン６からのアクセスが切断されるまで上記の処理を繰り返す。一方、ステップＳ１２において盗難防止機能の切替が指示されていない場合は、ステップＳ１３を実行せずにそのままステップＳ１１へ戻る。
【００３３】
管理サーバ５は、以上説明した処理を実行することにより、パソコン６または携帯電話７からの盗難防止機能の切替指示に基づいて、盗難防止装置に対して盗難防止機能の切替を実行させるための切替指令信号を出力する。
【００３４】
次に、盗難防止装置の判定処理部１４において実行される処理のフローチャートを図５に示す。ステップＳ２０では、キースイッチからのエンジン始動要求信号が入力されたか否かを判定する。このエンジン始動要求信号は、前述したようにオペレータのキースイッチ操作によって、建設機械から判定処理部１４に出力される。判定処理部１４は、エンジン始動要求信号が入力されたときにステップＳ２１以降の処理を実行し、入力されていなければステップＳ２０に留まる。
【００３５】
ステップＳ２１では、盗難防止機能切替部１２から出力される盗難防止機能の設定状態を読み込み、次のステップＳ２２では、ステップＳ２１で読み込んだ盗難防止機能の設定状態がオンとオフのどちらであるかを判定する。オンであった場合はステップＳ２３へ進み、オフであった場合はステップＳ２５へ進む。ステップＳ２３では、コード入力装置４からのコード入力を受け付け、ステップＳ２４では、その入力コードが暗証コード記憶部１５に記憶された暗証コードと一致しているか否かを判定する。ステップＳ２４において、入力コードと暗証コードが一致していた場合は、ステップＳ２５へ進む。
【００３６】
ステップＳ２５では、建設機械のエンジンの始動を許可して、そのエンジンへエンジン始動信号を出力する。ステップＳ２５の実行後は、図５の処理フローを終了する。一方、ステップＳ２４において入力コードと暗証コードが一致していなかった場合は、ステップＳ２５を実行せずに図５の処理フローを終了する。このときには建設機械のエンジンの始動が許可されずに、エンジン始動信号は出力されない。
【００３７】
盗難防止装置は、以上説明した処理を判定処理部１４において実行することにより、盗難防止機能の設定状態がオンである場合には盗難防止機能を動作させ、オペレータから暗証コードが入力されているときにのみ建設機械のエンジンの始動を許可する。しかし、エンジン始動要求時に盗難防止機能の設定状態がオフである場合には、盗難防止機能を動作させず、暗証コードが入力されなくてもエンジン始動を許可する。
【００３８】
図６には、盗難防止装置の通信制御部１１において実行される処理のフローチャートを示している。ステップＳ３０では、盗難防止機能切替部１２から出力される盗難防止機能の設定状態を読み込む。次のステップＳ３１では、管理サーバ５から送信される切替指令信号を受信したか否かを判定する。切替指令信号を受信した場合はステップＳ３４へ進み、受信していない場合はステップＳ３２へ進む。なおステップＳ３１では、ステップＳ３０で読み込んだ盗難防止機能の設定状態が前回から変化することによって、切替指令信号を受信したものと判定することができる。あるいは、切替指令信号を受信したか否かを通信制御部１１において直接判定してもよい。
【００３９】
ステップＳ３２では、ステップＳ３０で読み込んだ盗難防止機能の設定状態がオンまたはオフのいずれであったかを判定する。オンであった場合はステップＳ３０へ戻り、この場合には、前述した位置情報やＧＰＳ信号の受信時刻などの盗難防止装置の情報は、管理サーバ５に送信されない。一方、オフであった場合は、ステップＳ３３へ進んで所定時間待機した後、ステップＳ３４において上記の盗難防止装置の情報を管理サーバ５に送信する。
【００４０】
なお、切替指令信号を受信してステップＳ３１からステップＳ３４へ進んだ場合は、ステップＳ３３において所定時間待つことなく、直ちにステップＳ３４が実行されて盗難防止装置の情報が管理サーバ５に送信される。ステップＳ３４を実行した後は、ステップＳ３０に戻って上記の処理を繰り返す。
【００４１】
盗難防止装置は、以上説明した処理を通信制御部１１において実行することにより、盗難防止機能の設定状態がオフである場合には、その盗難防止装置の情報を所定時間ごとに管理サーバ５に送信する。また、管理サーバ５からの切替指令信号を受信した場合には、その後直ちにその盗難防止装置の情報を管理サーバ５に送信する。
【００４２】
以上説明した実施の形態によれば、次の作用効果を奏する。
（１）管理サーバ５より盗難防止装置へ切替指令信号を送信する。盗難防止装置は、通信制御部１１により切替指令信号を受信し、盗難防止機能切替部１２により、盗難防止機能の設定状態をオンからオフへ、またはオフからオンへと切り替えることとした。このようにしたので、建設機械が盗難されるなどして車体の所在が分からない場合に盗難防止装置の盗難防止機能がオフ状態にされていても、その盗難防止機能をオン状態に切り替えることができ、窃盗犯がその建設機械を不正に使用することを防止できる。
【００４３】
（２）管理サーバ５は、外部の携帯電話７からのメールによって送信される盗難防止機能の切替指示を受信すると、携帯電話７のメールアドレスに基づいて送信者である建設機械のオペレータが正当な権利者であるか否かを判断する。メールアドレスが予め登録されていれば正当な権利者であると判断して切替指令信号を送信し、登録されていなければ切替指令信号を送信しないこととした。このようにしたので、窃盗犯が予めメールアドレスが登録されていない携帯電話を用いて盗難防止機能の切替指示を送信しても、管理サーバから切替指令信号を送信しないようにできる。
【００４４】
（３）携帯電話７からのメールによって管理サーバ５から送信された切替指令信号により、盗難防止装置において盗難防止機能の設定状態を切り替えたとき、通信制御部１１から管理サーバ５に切り替えたことを示す情報を送信する。管理サーバ５は、この情報を受信したら携帯電話７へメールを送信して通知することとした。このようにしたので、携帯電話を用いて盗難防止機能の切替を指示したオペレータは、盗難防止装置において盗難防止機能の切替が実行されたことを確認できる。
【００４５】
（４）盗難防止装置において盗難防止機能がオフ状態に切り替えられているとき、位置算出部１３により算出した位置情報を所定時間ごとに管理サーバ５へ送信することとした。このようにしたので、盗難防止機能がオフ状態で建設機械が盗難された場合に、建設機械の所有者はその位置情報によって盗難されたことを確認できる。
【００４６】
なお、以上の実施の形態では、携帯電話からのメールによって管理サーバへ盗難防止機能の切替を指示する例について説明したが、これに替えて、電話からの発信によって管理サーバへ盗難防止機能の切替を指示するようにしてもよい。この場合、たとえば電話発信者の発話内容や、電話発信者が音声ガイドに応答して電話ボタンを操作することにより、盗難防止機能の設定状態をオンとオフのどちらに切り替えるかの指定と、どの建設機械の盗難防止装置であるかの指定とを行うことができる。なお、この場合には、上記に説明したようにメールアドレスではなく、電話番号によって正当な権利者であるかを判断することができる。あるいは、声紋判定などによって判断することとしてもよい。
【００４７】
建設機械の動作を禁止するためには、上記の実施の形態において説明したようなエンジン始動の禁止ではなく、油圧系統を介してアクチュエータが実質的に動作しないようにしてもよい。たとえば、コントロールバルブにより圧油をカットしたり、ポンプ傾転をゼロ、あるいはリリーフ圧をゼロなどにしたりする方法でもよい。
【００４８】
上記の実施の形態では、通信手段を通信アンテナ２と通信制御部１１、切替手段を盗難防止機能切替部１２、位置算出手段を位置算出部１３によりそれぞれ実現し、盗難防止機能をコード入力装置４、判定処理部１４、および暗証コード記憶部１５により実現している。しかし、これらはあくまで一例であり、本発明の特徴が損なわれない限り、各構成要素は上記の実施の形態に限定されない。
【図面の簡単な説明】
【００４９】
【図１】本発明による建設機械の盗難防止システムの一実施形態を示す図である。
【図２】パソコンの表示画面例を示す図である。
【図３】盗難防止装置のブロック図である。
【図４】管理サーバにおいて実行される処理のフローチャートである。
【図５】盗難防止装置の判定処理部において実行される処理のフローチャートである。
【図６】盗難防止装置の通信制御部において実行される処理のフローチャートである。
【図７】油圧ショベルを示す図である。
【符号の説明】
【００５０】
１  制御装置
２  通信アンテナ
３  ＧＰＳアンテナ
４  コード入力装置
５  管理サーバ
６  パソコン
７  携帯電話
８  無線通信局
１１  通信制御部
１２  盗難防止機能切替部
１３  位置算出部
１４  判定処理部
１５  暗証コード記憶部
１００ａ、１００ｂ、１００ｃ  建設機械
３００ａ、３００ｂ、３００ｃ  ＧＰＳ衛星
【図１】
2005255093.tif 000003
【図２】
2005255093.tif 000004
【図３】
2005255093.tif 000005
【図４】
2005255093.tif 000006
【図５】
2005255093.tif 000007
【図６】
2005255093.tif 000008
【図７】
2005255093.tif 000009